(57)【要約】【課題】空気調和機の圧縮機停止直前の室内気温・室外気温および圧縮機回転数に応じて、圧縮機停止直後に膨張弁を適切な開度に設定することで、圧縮機再起動時における液バックを抑制し、圧縮機を保護すること。【解決手段】空気調和機の運転を停止、その直後に再び運転を開始する場合において、前記圧縮機停止直後の前記膨張弁開度を全開ではない一定の開度に設定し、その後前記膨張弁開度を全開とした後に、所定の開度とした上で前記圧縮機を起動させることにより、前記圧縮機停止直前の前記膨張弁開度によらず、前記圧縮機停止直後の膨張弁を適切な開度に設定することができ、前記圧縮機再起動時における液バックを抑制することができる。【選択図】図２
2011158190.tif 000002
【特許請求の範囲】
【請求項１】
圧縮機、室内熱交換器、室外熱交換器、四方弁、膨張弁を配管で接続して冷凍サイクルを形成している空気調和機において、前記空気調和機の運転を停止、その直後に再び運転を開始する場合において、圧縮機停止直前の運転条件に応じて、前記圧縮機停止直後の前記膨張弁開度を全開ではない一定の開度に設定し、その後前記膨張弁開度を全開とした後に、所定の開度とした上で前記圧縮機を起動させることを特徴とする空気調和機の制御方法。
【請求項２】
前記圧縮機停止直後の前記膨張弁開度を前記圧縮機停止直前の室内気温・室外気温に応じて設定することを特徴とする請求項１に記載の空気調和機の制御方法。
【請求項３】
前記圧縮機停止直後の前記膨張弁開度を前記圧縮機停止直前の圧縮機回転数に応じて設定することを特徴とする請求項１に記載の空気調和機の制御方法。
【発明の詳細な説明】
【技術分野】
【０００１】
本発明は空気調和機に係わり、圧縮機を保護する空気調和機の制御方法に関するものである。
【背景技術】
【０００２】
従来、この種の空気調和機の制御方法は、再起動時の液バックを抑制するために、圧縮機再起動時に膨張弁の開度を通常の起動時より絞った状態で圧縮機を起動するように制御している。
【０００３】
図６は、特許文献１に記載された従来の空気調和機の圧縮機保護の制御方法を示すフローチャート図である。空気調和機が通常運転をしているとき（ＳＴ０）、熱交換器の冷媒飽和温度と圧縮機吐出部の冷媒温度と圧縮機の回転数を検知し（ＳＴ１）、冷凍サイクルの状態を計算する（ＳＴ２）。圧縮機吸入部の冷媒過熱度がある閾値を下回る場合に（ＳＴ３）圧縮機が停止した場合は（ＳＴ４）、圧縮機再起動時に膨張弁の開度を通常より絞る方向に調整する制御を行うことで、液バックを抑制し、圧縮機を保護することができる（ＳＴ５）。
【先行技術文献】
【特許文献】
【０００４】
【特許文献１】特開２００８−３０９４３７号公報
【発明の概要】
【発明が解決しようとする課題】
【０００５】
しかしながら、前記従来の圧縮機の液バックを抑制する空気調和機の制御方法では、圧縮機再起動時に膨張弁の開度を通常の起動時より絞った状態で圧縮機を起動するように制御しているため、室内熱交換器の温度が低くなり、室内機からの霧吹きが発生するという課題を有していた。
【０００６】
本発明は、従来の課題を解決するもので、圧縮機停止直前の室内気温・室外気温および圧縮機回転数に応じて、圧縮機停止直後に膨張弁を適切な開度に設定することで、圧縮機再起動時における液バックを抑制する空気調和機の制御方法を提供することを目的とする。
【課題を解決するための手段】
【０００７】
前記従来の課題を解決するために、本発明の空気調和機の制御方法は、圧縮機、室内熱交換器、室外熱交換器、四方弁、膨張を配管で接続して冷凍サイクルを形成している空気調和機において、前記空気調和機の運転を停止、その直後に再び運転を開始する場合において、圧縮機停止直前の運転条件に応じて、前記圧縮機停止直後の前記膨張弁開度を全開ではない一定の開度に設定し、その後前記膨張弁開度を全開とした後に、所定の開度とした上で前記圧縮機を起動させるものである。
【発明の効果】
【０００８】
本発明による空気調和機の制御方法によれば、前記圧縮機停止直前の前記膨張弁開度によらず、前記圧縮機停止直後の膨張弁を適切な開度に設定することができ、前記圧縮機再起動時における液バックを抑制することができる。
【図面の簡単な説明】
【０００９】
【図１】本発明による空気調和機の冷凍サイクルの構成図
【図２】本発明による空気調和機の膨張弁制御を示す図
【図３】本発明による空気調和機の膨張弁制御を示す図
【図４】本発明による空気調和機の膨張弁制御を示す図
【図５】本発明による空気調和機の膨張弁制御を示す図
【図６】従来の空気調和機の圧縮機保護の制御方法を示すフローチャート
【発明を実施するための形態】
【００１０】
第１の発明は、圧縮機、室内熱交換器、室外熱交換器、四方弁、膨張弁を配管で接続して冷凍サイクルを形成している空気調和機において、前記空気調和機の運転を停止、その直後に再び運転を開始する場合において、圧縮機停止直前の運転条件に応じて、前記圧縮機停止直後の前記膨張弁開度を全開ではない一定の開度に設定し、その後前記膨張弁開度を全開とした後に、所定の開度とした上で前記圧縮機を起動させることにより、前記圧縮機停止直前の前記膨張弁開度によらず、前記圧縮機停止直後の膨張弁を適切な開度に設定することができ、前記圧縮機再起動時における液バックを抑制することができる。
【００１１】
第２の発明は、前記圧縮機停止直後の前記膨張弁開度を前記圧縮機停止直前の室内気温・室外気温に応じて設定する。これにより、前記圧縮機停止直前において、冷凍サイクルの高低圧差が大きくなる室内気温・室外気温の場合には前記圧縮機停止直後の前記膨張弁開度を大きくし、高低圧差が小さくなる室内気温・室外気温の場合には前記圧縮機停止直後の前記膨張弁開度を小さくすることで、高低圧均一化のための時間を確保しつつ、前記圧縮機再起動時における液バックを抑制することができる。
【００１２】
第３の発明は、前記圧縮機停止直後の前記膨張弁開度を前記圧縮機停止直前の圧縮機回転数に応じて設定することにより、前記圧縮機停止直前において、圧縮機が設計上の最大値である回転数で運転しているなど前記圧縮機回転数が大きく冷凍サイクルの高低圧差が大きい場合には、前記圧縮機停止直後の前記膨張弁開度を大きくし、圧縮機が設計上の最小値である回転数で運転しているなど前記圧縮機回転数が小さく冷凍サイクルの高低圧差が小さい場合には、前記圧縮機停止直後の前記膨張弁開度を小さくすることで、高低圧均一化のための時間を確保しつつ、前記圧縮機再起動時における液バックを抑制することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の冷凍サイクルの構成図である。冷凍サイクルは冷媒を圧縮する圧縮機１、冷房運転回路と暖房運転回路の切り替えを行う四方弁２、室外熱交換器３、冷媒流路を絞る膨張弁４、室内熱交換器５が配管により接続され形成されている。
【００１５】
以上のように構成された空気調和機の制御方法について以下その動作、作用を説明する。
【００１６】
図２は圧縮機再起動時における液バックを抑制する膨張弁制御を示したものである。
【００１７】
まず空気調和機が運転中に、外部から運転中止の信号を受信し、これにより圧縮機が停止すると共に、圧縮機停止直前の運転条件に応じて、膨張弁は全開ではない一定の開度となり、２分程度この開度を保持することで液状態の冷媒が徐々に室外機側に戻ることとなる。その上で膨張弁を高低圧均一化のために全開状態とし１分程度この開度を保持し、そ
の後所定の開度とした上で圧縮機を起動させる。
【００１８】
このような制御を行うことで圧縮機停止直前の前記膨張弁開度によらず、圧縮機停止直後の膨張弁を適切な開度に設定することができ、圧縮機再起動時における液バックを抑制することができる。
【００１９】
（実施の形態２）
図３、４は、本発明の第２の実施の形態における圧縮機再起動時における液バックを抑制する膨張弁制御を示したものである。
【００２０】
まず空気調和機が運転中に、外部から運転中止の信号を受信し、これにより圧縮機が停止すると共に膨張弁開度を圧縮機停止直前の室内気温・室外気温に応じて設定する。
【００２１】
図３について、冷房運転時においては、夏季に事前に冷房運転がなされているなど外気温が高く内気温が低い場合に冷凍サイクルの高低圧差が大きくなるため、高低圧均一化を十分に行うために圧縮機停止直後の膨張弁の開度を大きく設定し（具体的には、膨張弁の開度を全開又は全開近くに設定し）、また夏季に事前に冷房運転がなされていないなど外気温が低く内気温が高い場合に高低圧差が小さくなるため圧縮機停止直後の膨張弁の開度を小さく設定（膨張弁の開度を全閉又は全閉近くに設定する）。
【００２２】
図４について、暖房運転時においては冬季に事前に暖房運転がなされているなど外気温が低く内気温が高い場合に冷凍サイクルの高低圧差が大きくなるため、高低圧均一化を十分に行うために圧縮機停止直後の膨張弁の開度を大きく設定し、冬季に事前に暖房運転がなされていないなど外気温が高く内気温が低い場合に高低圧差が小さくなるため圧縮機停止直後の膨張弁の開度を小さく設定する。
【００２３】
このような制御を行うことで圧縮機停止直前の前記膨張弁開度によらず、圧縮機停止直前の室内気温・室外気温に応じて圧縮機停止直後の膨張弁を適切な開度に設定することにより高低圧均一化を十分に行い、圧縮機再起動時における液バックを抑制することができる。
【００２４】
（実施の形態３）
図５は、本発明の第３の実施の形態における圧縮機再起動時における液バックを抑制する膨張弁制御を示したものである。
【００２５】
まず空気調和機が運転中に、外部から運転中止の信号を受信し、これにより圧縮機が停止すると共に膨張弁開度を圧縮機停止直前の圧縮機回転数に応じて設定する。
【００２６】
圧縮機が設計上の最大値である回転数で運転している場合などに冷凍サイクルの高低圧差が大きくなるため、高低圧均一化を十分に行うために圧縮機停止直後の膨張弁の開度を大きく設定し、圧縮機が設計上の最小値である回転数で運転している場合などに高低圧差が小さくなるため圧縮機停止直後の膨張弁の開度を小さく設定する。
【００２７】
このような制御を行うことで圧縮機停止直前の前記膨張弁開度によらず、圧縮機停止直前の圧縮機回転数に応じて圧縮機停止直後の膨張弁を適切な開度に設定することにより高低圧均一化を十分に行い、圧縮機再起動時における液バックを抑制することができる。
【産業上の利用可能性】
【００２８】
以上のように、本発明にかかる空気調和機の制御方法は、圧縮機停止直前の室内気温・室外気温および圧縮機回転数に応じて、膨張弁を適切な開度に設定することで、圧縮機再
起動時における液バックを抑制し圧縮機を保護することを可能とするので、圧縮機、室内熱交換器、室外熱交換器、四方弁、膨張弁を有する空気調和機に適用できる。
【符号の説明】
【００２９】
１  圧縮機
２  四方弁
３  室内熱交換器
４  膨張弁
５  室外熱交換器
【図１】
2011158190.tif 000003
【図２】
2011158190.tif 000004
【図３】
2011158190.tif 000005
【図４】
2011158190.tif 000006
【図５】
2011158190.tif 000007
【図６】
2011158190.tif 000008